(57)【要約】【課題】基体部に対して開閉可能な開閉部材の堅牢性および剛性を考慮した記録装置を提供すること。【解決手段】記録装置（２）は、基体部（３）に対して開閉可能な開閉部材（６）と、該開閉部材が開いた状態において、前記基体部と前記開閉部材とが互いに当接する箇所であり、前記基体部に対する前記開閉部材の姿勢を決める第１当接部３６と、前記開閉部材が開いた状態において、前記開閉部材に対して外力が作用した場合、前記基体部および前記開閉部材の少なくとも一方が撓むことにより、前記基体部と前記開閉部材とが新たに互いに当接する箇所である第２当接部３７と、を備え、該第２当接部３７における接触面積Ｂ２は、前記第１当接部３６における接触面積Ｂ１より広い構成であることを特徴とする。【選択図】図７
2012200992.tif 000002
【特許請求の範囲】
【請求項１】
基体部に対して開閉可能な開閉部材と、
該開閉部材が開いた状態において、前記基体部と前記開閉部材とが互いに当接する箇所であり、前記基体部に対する前記開閉部材の姿勢を決める第１当接部と、
前記開閉部材が開いた状態において、前記開閉部材に対して外力が作用した場合、前記基体部および前記開閉部材の少なくとも一方が撓むことにより、前記基体部と前記開閉部材とが新たに互いに当接する箇所である第２当接部と、を備え、
該第２当接部における接触面積は、前記第１当接部における接触面積より広い構成である記録装置。
【請求項２】
請求項１に記載の記録装置において、前記基体部と前記開閉部材とが互いに前記第２当接部において当接した状態において、前記外力よりさらに大きな外力が前記開閉部材に対して作用した場合、前記基体部および前記開閉部材の少なくとも一方がさらに撓むことにより、前記基体部と前記開閉部材とが新たに互いに当接する箇所である第３当接部を有する構成である記録装置。
【請求項３】
請求項２に記載の記録装置において、前記基体部は、少なくとも被記録媒体が送られる送り経路を覆うケースであり、
前記開閉部材は、前記ケースに設けられた開口を覆う開閉可能なカバー部材であり、
所定の方向へ移動可能なキャリッジに一端が接続されたインクチューブの少なくとも一部が撓んで前記ケースの一部を内側から外側へ向かって押圧する構成であり、該ケースの一部が外側へ突出しており、前記ケースの一部が前記第３当接部を構成する記録装置。
【発明の詳細な説明】
【技術分野】
【０００１】
本発明は、基体部に対して開閉可能な開閉部材を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１および特許文献２に示す如く、プリンターは、プリンター本体に対して開閉可能なカバーを備えていた。そして、該カバーが開いた状態では、前記カバーと前記プリンター本体とが前記カバーの回転軸部で当接する構成、または、前記カバーと前記プリンター本体とが局所的に度当たる構成であった。これにより、前記プリンター本体に対する前記カバーの姿勢が決まるように構成されていた。
【先行技術文献】
【特許文献】
【０００３】
【特許文献１】特開２００２−１１１２４１号公報
【特許文献２】特開平０５−１１６４２７号公報
【発明の概要】
【発明が解決しようとする課題】
【０００４】
しかしながら、前記回転軸部で当接する構成、または、前記局所的に度当たる構成では、堅牢性、剛性が十分ではなく、前記カバーに過負荷がかかった際、前記カバーが破損する虞がある。
【０００５】
本発明は、このような状況に鑑み成されたものであり、その課題は、基体部に対して開閉可能な開閉部材の堅牢性および剛性を考慮した記録装置を提供することである。
【課題を解決するための手段】
【０００６】
上記課題を達成するため、本発明の第１の態様の記録装置は、基体部に対して開閉可能な開閉部材と、該開閉部材が開いた状態において、前記基体部と前記開閉部材とが互いに当接する箇所であり、前記基体部に対する前記開閉部材の姿勢を決める第１当接部と、前記開閉部材が開いた状態において、前記開閉部材に対して外力が作用した場合、前記基体部および前記開閉部材の少なくとも一方が撓むことにより、前記基体部と前記開閉部材とが新たに互いに当接する箇所である第２当接部と、を備え、該第２当接部における接触面積は、前記第１当接部における接触面積より広い構成であることを特徴とする。
【０００７】
本態様によれば、前記開閉部材に対して外力が作用し過負荷となった場合、前記第２当接部においても当接することにより、前記第２当接部においても前記外力を受け止めることができる。つまり、前記外力を、前記第１当接部および前記第２当接部の両方に分散させて、受け止めることができる。また、前記外力を、前記第２当接部における面でしっかりと受け止めることができる。その結果、前記開閉部材の堅牢性および剛性を向上させることができる。つまり、前記開閉部材の堅牢性および剛性を十分に確保することができる。
【０００８】
本発明の第２の態様は、第１の態様において、前記基体部と前記開閉部材とが互いに前記第２当接部において当接した状態において、前記外力よりさらに大きな外力が前記開閉部材に対して作用した場合、前記基体部および前記開閉部材の少なくとも一方がさらに撓むことにより、前記基体部と前記開閉部材とが新たに互いに当接する箇所である第３当接部を有する構成であることを特徴とする。
【０００９】
本態様によれば、第１の態様と同様の作用効果に加え、前記開閉部材に対してさらに大きな外力が作用した場合、前記さらに大きな外力を、前記第１当接部、前記第２当接部および前記第３当接部にさらに分散させて、受け止めることができる。また、前記さらに大きな外力を、前記第２当接部および前記第３当接部における面でしっかりと受け止めることができる。
【００１０】
本発明の第３の態様は、第２の態様において、前記基体部は、少なくとも被記録媒体が送られる送り経路を覆うケースであり、前記開閉部材は、前記ケースに設けられた開口を覆う開閉可能なカバー部材であり、所定の方向へ移動可能なキャリッジに一端が接続されたインクチューブの少なくとも一部が撓んで前記ケースの一部を内側から外側へ向かって押圧する構成であり、該ケースの一部が外側へ突出しており、前記ケースの一部が前記第３当接部を構成することを特徴とする。
【００１１】
本態様によれば、第２の態様と同様の作用効果に加え、記録装置の前記ケースの内部の空間を確保しつつ、その形状を前記第３当接部として有効に利用することができる。つまり、前記ケースの内部におけるインクチューブの配線接続に必要な空間を確保することと、前記第３当接部として前記さらに大きな外力を受けることとを両立させることができる。  
尚、前記インクチューブが前記ケースを内側から外側へ押圧する力の向きと、前記第３当接部において前記カバー部材から前記ケースへ作用する力の向きとが対向する関係となるように構成してもよい。
【図面の簡単な説明】
【００１２】
【図１】本実施例のカバー部材が閉じた状態のプリンター全体を示す前方斜視図。
【図２】本実施例のカバー部材が開いた状態のプリンター全体を示す前方斜視図。
【図３】本実施例のプリンター内部の概略を示す側断面図。
【図４】（Ａ）（Ｂ）は本実施例のカバー部材を示す側断面図。
【図５】（Ａ）（Ｂ）はカバー部材とケースとの接触箇所を示す拡大側断面図。
【図６】カバー部材とケースとの接触箇所（第１当接部）を示す平面断面図。
【図７】カバー部材とケースとの接触箇所（第２当接部）を示す平面断面図。
【図８】カバー部材とケースとの接触箇所（第３当接部）を示す平面断面図。
【発明を実施するための形態】
【００１３】
以下、本発明の実施の形態を図面に基づいて説明する。  
図１に示すのは、本実施例のカバー部材６が閉じた状態のプリンター複合機１全体を示す前方斜視図である。また、図２に示すのは、本実施例のカバー部材６が開いた状態のプリンター複合機１全体を示す前方斜視図である。またさらに、図３に示すのは、本実施例のプリンター複合機１の内部の概略を示す側断面図である。
【００１４】
図１〜図３に示す如く、本実施例のプリンター複合機１は、プリンター本体２と、媒体搬送装置３３とを備えている。このうち、プリンター本体２は、スキャナー部１２と、操作部９と、載置部１３と、送り手段１６と、送り経路２３と、記録部２５と、第１排出スタッカー３１と、基体部としてのケース３と、開閉部材としてのカバー部材６と、を備えている。  
スキャナー部１２は、プリンター本体２における媒体搬送装置３３側である上方（Ｚ軸の矢印方向）に配設されている。ここで、Ｚ軸は、鉛直方向である。
【００１５】
そして、スキャナー部１２は、媒体搬送装置３３によって、送られた用紙Ｓの面に記録された写真や文書等の情報を読み取ることができるように構成されている。また、操作部９は、表示部１１と、ボタン１０とを有している。そして、ユーザーがボタン１０や表示部１１によって指示を入力する操作して、プリンター複合機１の設定条件の変更や、各種実行指示をすることができるように設けられている。  
尚、本実施例において、プリンター複合機１における操作部９が設けられている側がプリンター複合機１の前側である。つまり、正面（前面３ａ）である。
【００１６】
またさらに、載置部１３は、被記録媒体の一例である用紙Ｐを載置することができるように設けられている。本実施例では第１載置部１４と、第２載置部１５とがある。第１載置部１４は、プリンター本体２の後方に設けられたペーパーサポート１４ａおよびホッパー１４ｂである。このうち、ホッパー１４ｂは、上方（Ｚ軸の矢印方向）を中心に下方が後述する第１ローラー１７に対して接離移動することができるように構成されている。一方、第２載置部１５は、プリンター本体２の下方に着脱可能に設けられたカセット部１５ａである。
【００１７】
また、送り手段１６は、載置部１３に載置された用紙Ｐを記録部２５へ送ることができるように設けられている。具体的に、本実施例の送り手段１６は、第１ローラー１７と、第２ローラー１８と、第３ローラー１９と、第１ローラー対２１と、第２ローラー対２２とを有している。このうち、第１ローラー１７は、第１ローラー１７に対してホッパー１４ｂの下方が接近したとき、最上位の用紙Ｐと接触し、送り方向下流側の第２ローラー１８へ送ることができるように設けられている。
【００１８】
また、第３ローラー１９は、カセット部１５ａに対して接離移動可能なアーム部２０の自由端に設けられている。そして、カセット部１５ａにおける最上位に用紙Ｐと接触し、用紙Ｐを送り方向下流側の第２ローラー１８へ送ることができるように設けられている。またさらに、第２ローラー１８は、第１ローラー１７および第３ローラー１９によって送られてきた用紙Ｐをさらに下流側の第１ローラー対２１へ送ることができるように設けられている。
【００１９】
また、第１ローラー対２１は、記録時の送り方向下流側（Ｙ軸の矢印方向）の記録部２５および第２ローラー対２２へ用紙Ｐを送ることができるように設けられている。またさらに、第２ローラー対２２は、記録部２５より記録時の送り方向下流側に設けられており、記録部２５によって記録された用紙Ｐを第１排出スタッカー３１へ排出することができるように設けられている。
【００２０】
またさらに、送り経路２３は、用紙Ｐが送られる経路であり、案内部材によって構成されている。具体的には、用紙Ｐを載置部１３から記録部２５を介して第１排出スタッカー３１まで案内することができるように構成されている。  
また、記録部２５は、送り手段１６によって送られた用紙Ｐに対してインクを吐出して記録を実行することができるように構成されている。具体的には、記録部２５は、キャリッジ２６と、記録ヘッド２７と、媒体支持部２８とを有している。
【００２１】
このうち、キャリッジ２６は、一例として図示しないモーターの動力によって用紙Ｐの幅方向Ｘに延設された図示しないガイド部材にガイドされながら移動することができるように構成されている。また、記録ヘッド２７は、キャリッジ２６における用紙Ｐと対向する側に設けられている。さらに、記録ヘッド２７における用紙Ｐと対向する面には、インクを吐出するノズル（図示せず）が形成されている。またさらに、媒体支持部２８は、記録ヘッド２７と対向する位置に設けられており、用紙Ｐと記録ヘッド２７との間の距離を所定の長さに保つことができるように構成されている。  
またさらに、第１排出スタッカー３１は、記録された用紙Ｐを載置することができるように設けられている。また、第１排出スタッカー３１は伸縮自在に設けられている。
【００２２】
尚、送り経路２３とは別に、用紙Ｐの裏表を反転させるための表裏反転用経路２４が設けられている。両面記録モードの場合、用紙Ｐの表面に対しての記録後に、第１ローラー対２１および第２ローラー対２２によって用紙Ｐは、記録時の送り方向Ｙと逆方向へ逆送りされる。そして、表裏反転用経路２４へ送られ、第２ローラー１８の下側から上側へ回り込んで再び第１ローラー対２１へ送られる。この際、既に記録された表面が媒体支持部２８側となり、まだ記録されていない裏面が記録ヘッド２７側となる。そして、第１ローラー対２１によって記録時の送り方向下流側へ送られ、記録部２５によって裏面に対して記録が実行されるように構成されている。
【００２３】
また、ケース３は、プリンター本体２の筐体である。送り経路２３等を覆うように構成されている。  
図２に示す如く、本実施例では、ケース３の前面３ａに第１開口部４と、第２開口部５とが形成されている。このうち、第１開口部４は、送り経路２３に用紙Ｐが詰まった場合において該詰まった用紙Ｐを送り経路２３から取り除くために設けられたものである。ユーザーが、第１開口部４から送り経路２３における用紙Ｐが詰まった箇所（例えば第１ローラー対２１近傍）へアクセスして詰まった用紙Ｐを取り除く処理を行う。
【００２４】
一方、第２開口部５は、記録ヘッド２７へインクを供給するインクカートリッジ８がケース３の内部のインクカートリッジ８の装着位置である第１所定位置Ａへ取り付けられており、インクカートリッジ８を交換するために設けられたものである。ユーザーが、第２開口部５から第１所定位置Ａへアクセスして空になったインクカートリッジ８を取り外し、インクが充填されている別のインクカートリッジ８（新しいインクカートリッジ）を第１所定位置Ａへ取り付ける交換処理を行う。
【００２５】
またさらに、カバー部材６は、ケース３の前面３ａに開閉可能に取り付けられている。また、一対のヒンジ部７を中心に上方（Ｚ軸の矢印方向）の自由端側が前方へ倒れるようにして開くように構成されている。さらに、本実施例において、カバー部材６が閉まった状態では、カバー部材６が、第１開口部４および第２開口部５を覆うように構成されている。
【００２６】
一方、媒体搬送装置３３は、プリンター本体２の上方（Ｚ軸の矢印方向）に配設されている。詳しい図示は省略するが、プリンター本体２側のスキャナー部１２と対向する第２所定位置に対して第３載置部３４に載置された用紙Ｓを搬送経路（図示せず）によって送ることができるように設けられている。そして、スキャナー部１２によって用紙Ｓの面に記録された情報が読み取られる。その後、媒体搬送装置３３は、用紙Ｓを第２排出スタッカー３５まで送って排出することができるように設けられている。
【００２７】
図２に示す如く、本実施例において、プリンター本体２の前面３ａに設けられたカバー部材６を開けることにより、第１開口部４および第２開口部５が現れる。従って、ユーザーは、第１開口部４からアクセスして詰まった用紙Ｐを取り除くことができる。また、インクカートリッジ８を交換することもできる。  
また、図３に示す如く、インクカートリッジ８からキャリッジ２６の記録ヘッド２７へインクを供給するために、インクカートリッジ８側から延びたインクチューブ２９がキャリッジ２６に接続されている。  
またさらに、図２および図３に示す如く、第１開口部４から送り経路２３へアクセスする経路上に、保護部材３２が設けられている。
【００２８】
保護部材３２は、ケース３の外部から第１開口部４を介して内部を見て、キャリッジ２６に接続されたインクチューブ２９および配線ケーブル３０を覆うように形成されている。従って、ユーザーが第１開口部４から手を入れて送り経路２３へアクセスした際、ユーザーの手がインクチューブ２９および配線ケーブル３０に触れることを防止することができる。
【００２９】
続いて、開閉部材としてのカバー部材６について詳しく説明する。  
図４（Ａ）（Ｂ）に示すのは、本実施例のカバー部材６を示す側断面図である。このうち、図４（Ａ）はカバー部材６が閉じた状態である。一方、図４（Ｂ）はカバー部材６が開いた状態である。  
図４（Ａ）（Ｂ）に示す如く、カバー部材６は、ケース３の前述した第１開口部４および第２開口部５に対してヒンジ部７を中心に開閉可能に設けられている。
【００３０】
そして、カバー部材６が通常に開いた状態では、カバー部材６とケース３とが互いに第１当接部３６で当接して、カバー部材６のケース３に対する姿勢が決められるように構成されている。  
ここで、「通常に開いた状態」とは、カバー部材６が単に開いた状態であって、カバー部材６に後述する外力Ｆ１（図５（Ｂ）参照）が付与されていない状態をいう。また、「第１当接部」とは、カバー部材６とケース３とが互いに当接した箇所（部分）をいう。
【００３１】
図５（Ａ）（Ｂ）に示すのは、カバー部材６とケース３との接触箇所を示す拡大側断面図である。このうち、図５（Ａ）は図４（Ｂ）を拡大した通常に開いた状態である。一方、図５（Ｂ）は開いた状態のカバー部材６に外力Ｆ１が付与した状態である。  
図５（Ａ）に示す如く、カバー部材６が通常に開いた状態では、前述したように、カバー部材６とケース３とが第１当接部３６で当接している。
【００３２】
そして、開いた状態のカバー部材６に対して、鉛直方向上方から下方に向かって、即ち、より開く方向へ何らかの原因により外力Ｆ１が作用した場合、カバー部材６およびケース３の少なくとも一方が撓む。  
これにより、カバー部材６とケース３とが第１当接部３６で当接したまま、カバー部材６とケース３とが新たに当接する箇所である第２当接部３７で当接するように構成されている。
【００３３】
従って、カバー部材６に対して外力Ｆ１が作用し過負荷となった場合、第１当接部３６に加えて第２当接部３７においても当接することにより、第２当接部３７においても前記外力Ｆ１を受け止めることができる。つまり、前記外力Ｆ１を、第１当接部３６および第２当接部３７の両方に分散させて、受け止めることができる。その結果、カバー部材６の堅牢性および剛性を向上させることができる。
【００３４】
続いて、第１当接部３６の接触面積Ｂ１と第２当接部３７の接触面積Ｂ２との関係について説明する。  
図６に示すのは、カバー部材６とケース３との第１当接部３６における接触箇所を示す平面断面図である。また、図７に示すのは、カバー部材６とケース３との第２当接部３７における接触箇所を示す平面断面図である。尚、図７は、Ｚ軸方向における第２当接面でのＸ−Ｙ軸面の断面図である。
【００３５】
図６に示す如く、幅方向Ｘにおける第１当接部３６の範囲は、一対のヒンジ部７の近傍である。一方、図７に示す如く、幅方向Ｘにおける第２当接部３７の範囲は、カバー部材６の全幅と略同じである。  
ここで、図５（Ａ）（Ｂ）に示す如く、Ｘ軸方向から見たＹ−Ｚ軸面図である側面図では、一見、第１当接部３６の面積が第２当接部３７の面積より大きいように見えるが、図５（Ａ）（Ｂ）、図６および図７に示す如く、Ｘ軸方向をも考慮すると、第２当接部３７の接触面積Ｂ２の方が、第１当接部３６の接触面積Ｂ１より大きくなるように構成されている。つまり、第２当接部３７は、第１当接部３６より広い範囲（面積）で面接触する構成である。  
従って、前記外力Ｆ１を、第２当接部３７における面でしっかりと受け止めることができる。その結果、カバー部材６の堅牢性および剛性を向上させることができる。
【００３６】
続いて、カバー部材６に対して前記外力Ｆ１よりもさらに大きい外力Ｆ２が作用した場合について説明する。  
図８に示すのは、カバー部材６とケース３との第３当接部３８における接触箇所を示す平面断面図である。  
図８に示す如く、第２当接部３７でケース３と当接している状態のカバー部材６に対して、より開く方向へ何らかの原因により前記外力Ｆ１よりさらに大きな外力Ｆ２が作用した場合、カバー部材６およびケース３の少なくとも一方がさらに撓む。
【００３７】
これにより、カバー部材６とケース３とが第１当接部３６および第２当接部３７で当接したまま、カバー部材６とケース３とがさらに新たに当接する箇所である第３当接部３８で当接するように構成されている。  
従って、カバー部材６に対してさらに大きな外力Ｆ２が作用した場合、前記さらに大きな外力Ｆ２を、第１当接部３６、第２当接部３７および第３当接部３８にさらに分散させて、受け止めることができる。また、前記さらに大きな外力Ｆ２を、第２当接部３７および第３当接部３８における面でしっかりと受け止めることができる。
【００３８】
ここで、幅方向Ｘに移動可能なキャリッジ２６には、可撓性部材の一例であるインクチューブ２９および配線ケーブル３０が接続されている。インクチューブ２９が接続されている理由は、インクカートリッジ８のインクをキャリッジ２６側の記録ヘッド２７へ供給するためである。また、配線ケーブル３０が接続されている理由は、ノズルからインクを吐出するための電気的な信号を、図示しない制御部からキャリッジ２６側の記録ヘッド２７へ送るためである。
【００３９】
また、インクチューブ２９および配線ケーブル３０における一部２９ａ、３０ａが、カバー部材６より低い位置におけるケース３の内側に沿うように接続されている。またさらに、インクチューブ２９および配線ケーブル３０におけるケース３の内側に沿っている部分２９ａ、３０ａと、キャリッジ２６と接続された箇所との間の部分２９ｂ、３０ｂが、弧を描くように撓んでいる。
【００４０】
本実施例では、Ｘ軸方向のキャリッジ２６の移動可能な範囲におけるＸ軸の矢印の下流端（図８における左側）にキャリッジ２６が位置するとき、インクチューブ２９および配線ケーブル３０における前記間の部分２９ｂ、３０ｂは、径が大きな弧を描くように撓んでいる（図８における実線）。  
そして、キャリッジ２６が前記移動可能な範囲におけるＸ軸の矢印の下流端から上流側へ移動すると、キャリッジ２６の移動に伴ってインクチューブ２９および配線ケーブル３０における前記間の部分２９ｂ、３０ｂの一部がケース３の内側に沿うように変形する（図８における二点鎖線）。
【００４１】
また、ケース３におけるインクチューブ２９および配線ケーブル３０が沿う箇所３ｂは、他の箇所と比較して、ケース３の内側から外側へ突出するように設けられている。これにより、インクチューブ２９および配線ケーブル３０が弧を描くように撓むための十分な空間を確保することができる。そして、第３当接部３８は、前記沿う箇所３ｂの形状を有効に利用した構成である。
【００４２】
つまり、ケース３の内部における特にインクチューブ２９の配線接続（引き回し）に必要な空間を確保することと、第３当接部３８として前記さらに大きな外力Ｆ２を受けることとを両立させることができる。  
尚、インクチューブ２９がケース３を内側から外側へ押圧する力の向きと、第３当接部３８においてカバー部材６からケース３へ作用する力の向きとが対向する関係となるように構成してもよい。
【００４３】
また、上記実施例では、基体部としてのケース３に対して開閉可能な開閉部材としてのカバー部材６について説明したが、カバー部材６に限らない。技術的思想としては、基体部に対して開いた状態の開閉部材に対して外力Ｆ１が作用する虞がある構成であればよい。第１当接部３６および第２当接部３７を有しており、第２当接部３７における接触面積Ｂ２は、第１当接部３６における接触面積Ｂ１より広い関係となる構成を適用することができるからである。
【００４４】
本実施例の記録装置としてのプリンター本体２は、基体部としてのケース３に対して開閉可能な開閉部材としてのカバー部材６と、カバー部材６が開いた状態において、ケース３とカバー部材６とが互いに当接する箇所であり、ケース３に対するカバー部材６の姿勢を決める第１当接部３６と、カバー部材６が開いた状態において、カバー部材６に対して外力Ｆ１が作用した場合、ケース３およびカバー部材６の少なくとも一方が撓むことにより、ケース３とカバー部材６とが新たに互いに当接する箇所である第２当接部３７と、を備え、第２当接部３７における接触面積Ｂ２は、第１当接部３６における接触面積Ｂ１より広い構成であることを特徴とする。
【００４５】
また、本実施例において、ケース３とカバー部材６とが互いに第２当接部３７において当接した状態において、前記外力Ｆ１よりさらに大きな外力Ｆ２がカバー部材６に対して作用した場合、ケース３およびカバー部材６の少なくとも一方がさらに撓むことにより、ケース３とカバー部材６とが新たに互いに当接する箇所である第３当接部３８を有する構成であることを特徴とする。
【００４６】
またさらに、本実施例において、基体部は、少なくとも被記録媒体が送られる送り経路２３を覆うケース３であり、開閉部材は、ケース３に設けられた開口である第１開口部４を覆う開閉可能なカバー部材６であり、所定の方向である幅方向Ｘへ移動可能なキャリッジ２６に一端が接続されたインクチューブ２９の少なくとも一部である前記間の部分２９ｂが撓んでケース３の一部である前記沿う箇所３ｂを内側から外側へ向かって押圧する構成であり、ケース３の前記沿う箇所３ｂが外側へ突出しており、ケース３の前記沿う箇所３ｂが第３当接部３８を構成することを特徴とする。
【００４７】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４８】
１  プリンター複合機、２  プリンター本体、３  ケース、３ａ  前面、
３ｂ  沿う箇所、４  第１開口部、５  第２開口部、６  カバー部材、７  ヒンジ部、
８  インクカートリッジ、９  操作部、１０  ボタン、１１  表示部、
１２  スキャナー部（読み取り装置）、１３  載置部、１４  第１載置部、
１４ａ  ペーパーサポート、１４ｂ  ホッパー、１５  第２載置部、
１５ａ  カセット部、１６  送り手段、１７  第１ローラー、１８  第２ローラー、
１９  第３ローラー、２０  アーム部、２１  第１ローラー対、２２  第２ローラー対、
２３  送り経路、２４  表裏反転用経路、２５  記録部、２６  キャリッジ、
２７  記録ヘッド、２８  媒体支持部、２９  インクチューブ、
２９ａ  ケースの内側に沿っている部分、２９ｂ  間の部分、３０  配線ケーブル、
３０ａ  ケースの内側に沿っている部分、３０ｂ  間の部分、
３１  第１排出スタッカー、３２  保護部材、３３  媒体搬送装置、３４  第３載置部、
３５  第２排出スタッカー、３６  第１当接部、３７  第２当接部、３８  第３当接部、
Ａ  インクカートリッジの装着位置（第１所定位置）、
Ｂ１  第１当接部における接触面積、Ｂ２  第２当接部における接触面積、
Ｆ１  外力、Ｆ２  さらに大きい外力、Ｐ  プリンター本体で送られる用紙、
Ｓ  媒体搬送装置で送られる用紙、Ｘ  幅方向、Ｙ  記録時の送り方向、Ｚ  鉛直方向
【図１】
2012200992.tif 000003
【図２】
2012200992.tif 000004
【図３】
2012200992.tif 000005
【図４】
2012200992.tif 000006
【図５】
2012200992.tif 000007
【図６】
2012200992.tif 000008
【図７】
2012200992.tif 000009
【図８】
2012200992.tif 000010